(57)【特許請求の範囲】
【請求項１】
楽曲データを記憶する楽曲データベースを備えた楽曲管理装置と、当該楽曲管理装置から転送された前記楽曲データを記憶する端末楽曲データベースを備えた携帯端末装置とからなる操作システムであって、
前記楽曲管理装置は、前記楽曲データベースに記憶している前記楽曲データを３次元空間に配置する表示制御手段と、
前記３次元空間に前記楽曲データが配置された３次元マップを表示する表示手段とを具備すると共に、
携帯端末装置は、前記携帯端末装置の主面部が重力方向に直交する姿勢からの回転角に応じた姿勢信号を出力する傾斜角検出手段を具備し、
前記携帯端末装置の傾斜角検出手段から出力される前記姿勢信号に応じて前記３次元マップ上の空間を指定する空間指定カーソルの移動を制御することを特徴とする操作システム。
【請求項２】
前記空間指定カーソルによって指定された空間内に位置する前記楽曲データを前記携帯端末装置に転送させることを特徴とする請求項１記載の操作システム。
【発明の詳細な説明】
【技術分野】
【０００１】
本発明は、カーソルの移動を操作する操作システムに関し、特に３次元マップ上の空間を指定する空間指定カーソルの移動を操作する操作システムに関する。
【背景技術】
【０００２】
近年、ＨＤＤ等の大容量の記憶手段が開発され、大容量の記憶手段に大量の楽曲データを記憶させることができるようになっている。大容量の記憶手段に記憶されている大量の楽曲データの検索は、アーティスト名や曲名、その他のキーワード等の書誌データを用いて行うのが一般的であるが、書誌データで検索した場合には、楽曲が持っている情感を考慮することができず、印象の異なる楽曲が検索される可能性があり、聴取した際の印象が同じような楽曲を検索したい場合には、不向きである。
【０００３】
そこで、楽曲に対する主観的な印象に基づいて利用者の希望する楽曲を検索可能にするために、検索を希望する楽曲に対するユーザの主観的な要件を入力して数値化して出力し、その出力から、検索対象の楽曲の印象を数量化した予測印象値を算出し、算出した予測印象値をキーとして、複数の楽曲の音響信号およびその楽曲の印象を数量化した印象値を記憶した楽曲データベースを検索することにより、利用者の楽曲に対する主観的なイメージに基づいて、希望する楽曲を検索する装置が提案されている（例えば、特許文献１参照）。
【０００４】
しかしながら、従来技術では、楽曲データと共に、当該楽曲データを評価した複数の評価項目が記憶されることになるが、複数の評価項目を同時に把握することができず、複数の評価項目に基づいた楽曲データの選択を簡単に行うことができないという問題点があった。
【特許文献１】特開２００２−２７８５４７号公報
【発明の開示】
【発明が解決しようとする課題】
【０００５】
本発明は斯かる問題点に鑑みてなされたものであり、その目的とするところは、楽曲データベースに記憶された楽曲データを評価した複数の評価項目を視覚的に同時に把握することができ、楽曲データベースに記憶された楽曲データの傾向を簡単に把握し、複数の評価項目に基づいた楽曲データの選択を簡単に行うことができる操作システムを提供する点にある。
【課題を解決するための手段】
【０００６】
本発明は上記課題を解決すべく、以下に掲げる構成とした。
本発明の操作システムは、楽曲データを記憶する楽曲データベースを備えた楽曲管理装置と、当該楽曲管理装置から転送された前記楽曲データを記憶する端末楽曲データベースを備えた携帯端末装置とからなる操作システムであって、前記楽曲管理装置は、前記楽曲データベースに記憶している前記楽曲データを３次元空間に配置する表示制御手段と、前記３次元空間に前記楽曲データが配置された３次元マップを表示する表示手段とを具備すると共に、携帯端末装置は、前記携帯端末装置の主面部が重力方向に直交する姿勢からの回転角に応じた姿勢信号を出力する傾斜角検出手段を具備し、前記携帯端末装置の傾斜角検出手段から出力される前記姿勢信号に応じて前記３次元マップ上の空間を指定する空間指定カーソルの移動を制御することを特徴とする。
【０００７】
さらに、本発明の操作システムは、前記空間指定カーソルによって指定された空間内に位置する前記楽曲データを前記携帯端末装置に転送させることを特徴とする。
【発明の効果】
【０００９】
本発明の操作システムは、楽曲データベースに記憶している楽曲データを３次元空間に配置する表示制御手段と、３次元空間に楽曲データが配置された３次元マップを表示する表示手段とを具備する楽曲管理装置と、傾斜に応じた姿勢信号を出力する傾斜角検出手段を具備する携帯端末装置とからなり、携帯端末装置の傾斜角検出手段から出力される姿勢信号に応じて３次元マップ上の空間を指定する空間指定カーソルの移動を制御するように構成することにより、楽曲管理装置の楽曲データベースに記憶された楽曲データを評価した複数の評価項目を視覚的に同時に把握することができ、楽曲管理装置の楽曲データベースに記憶された楽曲データの傾向を簡単に把握し、携帯端末装置の姿勢に応じて移動される空間指定カーソルによって複数の評価項目に基づいた楽曲データの選択を簡単に行うことができるという効果を奏する。
【発明を実施するための最良の形態】
【００１０】
以下、本発明の実施の形態を図面に基づいて詳細に説明する。
【００１１】
図１は、本発明に係る操作システムの実施の形態の構成を示すブロック図であり、図２は、図１に示す携帯端末装置の外観構成を示す斜視図であり、図３は、図１に示す携帯端末装置の構成を示すブロック図であり、図４は、図３に示す傾斜角検出部から出力される姿勢情報例を示す図である。
【００１２】
本実施の形態の操作システムは、図１を参照すると、楽曲管理装置１０と、携帯端末装置３０とがＵＳＢ等のデータ伝送路２０で接続されており、携帯端末装置３０は、楽曲管理装置１０から切り離して携帯することができる構成となっている。
【００１３】
楽曲管理装置１０は、パーソナルコンピュータ等のプログラム制御で動作する情報処理装置であり、図１を参照すると、楽曲データ入力部１１と、圧縮処理部１２と、楽曲データベース１３と、表示制御部１４と、ＰＣ操作部１５と、ＰＣ表示部１６と、送受信部１７と、音声出力部１８と、スピーカ１９とからなる。
【００１４】
楽曲データ入力部１１は、ＣＤ、ＤＶＤ等の楽曲データが記憶されている記憶媒体を読み取る機能を有し、ＣＤ、ＤＶＤ等の記憶媒体から楽曲データを入力し、圧縮処理部１２に出力する。ＣＤ、ＤＶＤ等の記憶媒体以外にインターネット等のネットワークを経由した楽曲データ（配信データ）を入力するように構成しても良い。
【００１５】
圧縮処理部１２は、楽曲登録時には、楽曲データ入力部１１から入力された楽曲データをＭＰ３やＡＴＲＡＣ（Adaptive Transform Acoustic Coding）等の圧縮形式で圧縮し、圧縮した楽曲データを、アーティスト名、曲名等の書誌データと共に楽曲データベース１３に記憶させる。
【００１６】
楽曲データベース１３は、ＨＤＤ等の大容量の記憶手段であり、圧縮処理部１２によって圧縮された楽曲データと、書誌データと、３つの評価項目に対するそれぞれの評価データとが記憶される。なお、本実施の形態では、３つの評価項目として、「激しい、穏やか」、「明るい、暗い」、「澄んだ、濁った」が設定されており、楽曲データの入力時にＰＣ操作部１５から各評価項目に対する評価データが入力される。また、評価データの入力は、楽曲データから抽出するように構成しても良い。
【００１７】
表示制御部１４は、ＰＣ表示部１６に表示する各種画面を制御する手段であり、楽曲データベース１３に記憶されている楽曲データの各種情報をＰＣ表示部１６に表示させる。
【００１８】
ＰＣ操作部１５は、キーボードおよびマウスからなる入力手段であり、評価データの入力、楽曲データベース１３に記憶されている楽曲データを検索する検索条件の入力、携帯端末装置３０に出力する楽曲データを選択する入力等が行われる。
【００１９】
ＰＣ表示部１６は、例えば液晶ディスプレイ等の表示手段であり、楽曲データベース１３に記憶されている楽曲データを検索する検索条件の表示、検索された楽曲データ（検索結果）の表示等が行われる。
【００２０】
送受信部１７は、携帯端末装置３０の送受信部３０３との間をＵＳＢ等のデータ伝送路２０で接続可能に構成されており、楽曲データベース１３に記憶されている楽曲データと、当該楽曲データに対応する各種データとを携帯端末装置３０に送信すると共に、操作信号を携帯端末装置３０から受信し、表示制御部１４に出力する。
【００２１】
音声出力部１８は、楽曲データベース１３に記憶されている楽曲データを伸長して再生するオーディオプレーヤであり、接続されたスピーカ１９から伸長した楽曲データを音声出力させる。
【００２２】
携帯端末装置３０は、楽曲管理装置１０から受信した楽曲データを記憶するＨＤＤ等の大容量の記憶手段を有し、記憶した楽曲データを音声出力するポータブルオーディオ等の音声再生装置であり、図２を参照すると、楽曲データを音声出力するヘッドフォン２１が接続されていると共に、略正方形の主面部を有し、当該主面部には、液晶ディスプレイ等の端末表示部３０１と、入力手段である決定キー３０２とが設けられている。
【００２３】
携帯端末装置３０の内部構成は、図３を参照すると、送受信部３０３と、端末楽曲データベース３０４と、傾斜角検出部３０５、ＡＤ変換部３０６、座標変換部３０７、端末制御部３０８、音声出力部３０９と、表示制御部３１０とからなる。
【００２４】
送受信部３０３は、楽曲管理装置１０の送受信部１７との間をＵＳＢ等のデータ伝送路２０で接続可能に構成されており、楽曲管理装置１０の送受信部１７から入力された楽曲データと、当該楽曲データに対応する各種データとを端末楽曲データベース３０４に記憶させると共に、操作信号を楽曲管理装置１０に送信する。
【００２５】
端末楽曲データベース３０４は、ＨＤＤ等の大容量の記憶手段であり、楽曲管理装置１０から送信された楽曲データと、当該楽曲データに対応する各種データとが記憶される。
【００２６】
傾斜角検出部３０５は、例えば、静電容量型、ピエゾ抵抗型、熱分布検知型等の加速度センサを用いた傾斜センサであり、図２を参照すると、主面部、すなわち端末表示部３０１および決定キー３０２が設けられた面と平行で互いに直交するＸ軸およびＹ軸と、主面部と垂直なＺ軸の傾斜角に応じた姿勢信号をＡＤ変換部３０６に出力する。なお、本実施の形態では、Ｘ軸およびＹ軸は、略正方形である主面部の対角線にそれぞれ設定されていると共に、楽曲管理装置１０に接続された状態の携帯端末装置３０は、図２に示すように、Ｙ軸が通る端部がデータ伝送路２０に接続されるように構成されているため、Ｙ軸が前後方向に、Ｘ軸が左右方向にそれぞれなるように操作される。
【００２７】
傾斜角検出部３０５として、固定されたビーム（梁）と可動するビーム（梁）とをそれぞれコンデンサの電極板と見立てて、ビーム間の距離の変動を静電容量値としてＸ軸、Ｙ軸およびＺ軸の傾斜を検出する静電容量型３軸加速度センサを用いた場合には、図４に示すように、Ｘ軸、Ｙ軸、Ｚ軸の傾斜角に応じた出力電圧が姿勢信号として得られる。
【００２８】
ＡＤ変換部３０６は、傾斜角検出部３０５から出力される姿勢信号を、ノイズ除去フィルター処理後にサンプリングすることでデジタル信号に変換し、サンプリング時間毎に姿勢信号を座標変換部３０７に出力する。
【００２９】
座標変換部３０７は、Ｘ軸、Ｙ軸、Ｚ軸の傾斜角からなる姿勢信号をＸ軸およびＹ軸をそれぞれ中心とする携帯端末装置３０のそれぞれの回転角θｘ、θｙに変換し、変換した姿勢信号を端末制御部３０８に出力する。回転角θｘは、Ｙ軸およびＺ軸の傾斜角から、回転角θｙは、Ｘ軸およびＺ軸の傾斜角からそれぞれ求めることができる。以下、Ｘ軸を中心とする携帯端末装置３０の回転をピッチ方向の回転と称し、Ｙ軸を中心とする携帯端末装置３０の回転をロール方向の回転と称する。また、携帯端末装置３０の主面部が重力方向に直交する場合の回転角θｘ、θｙを０度とし、主面部の上方を下側に移動させるピッチ方向の回転をマイナスとし、主面部の下方を下側に移動させるピッチ方向の回転をプラスとし、主面部の右方を下側に移動させるロール方向の回転をプラスとし、主面部の左方を下側に移動させるロール方向の回転をマイナスとする。
【００３０】
端末制御部３０８は、データ伝送路２０によって楽曲管理装置１０と接続されている場合には、送受信部３０３を介して座標変換部３０７によって回転角θｘおよび回転角θｙに変換された姿勢信号と、決定キー３０２の押下信号とを楽曲管理装置１０に送信すると共に、データ伝送路２０によって楽曲管理装置１０と接続されていない場合には、座標変換部３０７によって回転角θｘおよび回転角θｙに変換された姿勢信号と、決定キー３０２の押下信号とに基づいて、端末楽曲データベース３０４に記憶されている楽曲データの選択動作と、選択した楽曲データの音声出力動作とを制御する。
【００３１】
音声出力部３０９は、端末楽曲データベース３０４に圧縮されて記憶されている楽曲データを伸長して再生するオーディオプレーヤであり、接続されたヘッドフォン２１から伸長した楽曲データを音声出力させる。
【００３２】
表示制御部３１０は、端末制御部３０８の指示に基づいて音声出力している楽曲データの各種情報や、各種操作を案内する操作案内情報等を端末表示部３０１に表示させる。
【００３３】
次に、楽曲管理装置１０における楽曲検索動作について図５乃至図１０を参照して詳細に説明する。
図５は、図１に示すＰＣ表示部に表示される楽曲管理画面例を示す図であり、図６乃至図８は、図２に示す携帯端末装置を用いた空間指定カーソルの移動動作を説明する説明図であり、図９は、図５に示す空間指定カーソルの移動方向を説明する説明図であり、図１０は、図５に示す３次元表示領域における空間内移動モードを説明するための説明図である。
【００３４】
楽曲管理画面５０は、図５を参照すると、３つの評価項目をそれぞれ直交する３軸とした空間に楽曲データを図形として配置した３次元マップを表示する３次元表示領域５１と、３つ評価項目に対する評価データのそれぞれの値（以下、基準空間座標と称す）を指定するスクロールバーが設けられている表示位置指定領域５２と、３次元表示領域５１の表示スケールを指定する表示スケール指定ボタンが設けられている表示スケール指定領域５３と、３次元表示領域５１における横軸と奥行きとの２次元に楽曲データを図形として配置した２次元マップを表示する２次元表示領域５４と、３次元表示領域５１の表示位置を選択する表示位置選択ボタンが設けられた表示位置選択領域５５と、３次元表示領域５１および２次元表示領域５４に表示される空間をカーソル位置によって移動させる空間内移動モードに切り換える移動モード切換ボタン５６と、３次元表示領域５１および２次元表示領域５４の軸を切り換える軸切換ボタン５７と、３次元表示領域５１において空間指定カーソル６４によって選択された楽曲データのタイトル名等の書誌データが手前から順番にリスト表示されるリスト表示領域５９と、リスト表示領域５９に表示されたリストの中で選択した楽曲データの再生を指示する第１再生指示ボタン６０と、リスト表示領域５９に表示された全リストの再生を指示する第２再生指示ボタン６１とからなる。
【００３５】
表示制御部１４は、表示位置指定領域５２に設けられたスクロールバーによって指定された基準空間座標と、表示スケール指定領域５３に設けられた表示スケール指定ボタンによって指定された表示スケールとに基づいて３次元表示領域５１に表示する空間を特定し、当該空間に配置される楽曲データを特定し、３つの評価項目に基づいて特定した楽曲データを図形として３次元表示領域５１にそれぞれ配置する。なお、本実施の形態では、図５に示すように、３次元表示領域５１に配置する楽曲データを円形とし、グラデーション処理を施すことによって球体として表現するように構成し、３次元表示領域５１の奥行き（図５では、項目「澄んだ、濁った」）は、円の直径を変化（奥に行くほど小さくなるように）させることによって対応した。
【００３６】
さらに、表示制御部１４は、３次元表示領域５１上の空間領域を指定する空間指定カーソル６４の移動を制御しており、空間指定カーソル６４に含まれる楽曲データの書誌データ（タイトル名等）を楽曲データベース１３から読み出し、読み出した書誌データをリスト表示領域５９に表示させる。また、表示制御部１４は、空間指定カーソル６４に含まれる楽曲データを表す図形の色を変化させる。
【００３７】
空間指定カーソル６４の移動は、楽曲管理装置１０に接続された携帯端末装置３０を操作することによって行われる。すなわち、楽曲管理装置１０にデータ伝送路２０によって接続された状態では、携帯端末装置３０の端末制御部３０８は、送受信部３０３を介して座標変換部３０７によって回転角θｘおよび回転角θｙに変換された姿勢信号と、決定キー３０２の押下信号とを楽曲管理装置１０に送信する。
【００３８】
楽曲管理装置１０の送受信部１７は、回転角θｘおよび回転角θｙからなる姿勢信号と、決定キー３０２の押下信号とを受信し、表示制御部１４に出力する。表示制御部１４は、回転角θｘおよび回転角θｙからなる姿勢信号に基づいて空間指定カーソル６４の移動の有無および移動方向を決定する。
【００３９】
図６には、図２に矢印Ａで示す方向、すなわちＹ軸を後ろ方向から携帯端末装置３０を見た図が示されている。図６（ａ）に示すように、ロール方向におけるプラスおよびマイナス方向の回転角｜θｙ｜が予め定められた第１の角度θ１（θ１＜９０°）未満である状態に携帯端末装置３０が把持された場合には、表示制御部１４は、空間指定カーソル６４の左右方向、すなわち図９に矢印ｅおよび矢印ｆに示す方向の移動を停止させる。また、図６（ｂ）に示すように、ロール方向におけるプラス方向の回転角｜θｙ｜が予め定められた第１の角度θ１以上である状態に携帯端末装置３０が把持された場合には、表示制御部１４は、空間指定カーソル６４を３次元表示領域５１の右方向、すなわち図９に矢印ｅに示す方向に移動させる。さらに、図６（ｃ）に示すように、ロール方向におけるマイナス方向の回転角｜θｙ｜が予め定められた第１の角度θ１以上である状態に携帯端末装置３０が把持された場合には、表示制御部１４は、空間指定カーソル６４を３次元表示領域５１の左方向、すなわち図９に矢印ｆに示す方向に移動させる。
【００４０】
図７には、図２に矢印Ｂで示す方向、すなわちＸ軸を左方向から携帯端末装置３０を見た図が示されている。図７（ａ）に示すように、ピッチ方向におけるプラスおよびマイナス方向の回転角｜θｘ｜が予め定められた第１の角度θ１未満である状態に携帯端末装置３０が把持された場合には、表示制御部１４は、空間指定カーソル６４の奥行き方向および上下方向、すなわち図９に矢印ａ乃至矢印ｄに示す方向の移動を停止させる。また、図７（ｂ）に示すように、ピッチ方向におけるプラス方向の回転角｜θｘ｜が予め定められた第１の角度θ１以上であり、且つ第１の角度θ１より大きい予め定められた第２の角度θ２（θ２＜９０°）未満である状態に携帯端末装置３０が把持された場合には、表示制御部１４は、空間指定カーソル６４を３次元表示領域５１の手前方向、すなわち図９に矢印ｂに示す方向に移動させる。さらに、図７（ｃ）に示すように、ピッチ方向におけるマイナス方向の回転角｜θｘ｜が予め定められた第１の角度θ１以上であり、且つ第１の角度θ１より大きい予め定められた第２の角度θ２（θ２＜９０°）未満である状態に携帯端末装置３０が把持された場合には、表示制御部１４は、空間指定カーソル６４を３次元表示領域５１の奥方向、すなわち図９に矢印ａに示す方向に移動させる。
【００４１】
図８には、図２に矢印Ｂで示す方向、すなわちＸ軸を左方向から携帯端末装置３０を見た図が示されている。図８（ａ）に示すように、ピッチ方向におけるプラス方向の回転角｜θｘ｜が予め定められた第２の角度θ２以上であり、且つ９０°未満である状態に携帯端末装置３０が把持された場合には、表示制御部１４は、空間指定カーソル６４を３次元表示領域５１の上方向、すなわち図９に矢印ｄに示す方向に移動させる。さらに、図８（ｂ）に示すように、ピッチ方向におけるマイナス方向の回転角｜θｘ｜が予め定められた第２の角度θ２以上であり、且つ９０°未満である状態に携帯端末装置３０が把持された場合には、表示制御部１４は、空間指定カーソル６４を３次元表示領域５１の下方向、すなわち図９に矢印ｃに示す方向に移動させる。
【００４２】
図６（ａ）および図７（ａ）に示す状態に携帯端末装置３０が把持され、空間指定カーソル６４が停止されている状態で、決定キー３０２が押下されると、表示制御部１４は、空間指定カーソル６４に含まれる楽曲データの転送を楽曲データベース１３に指示し、楽曲データベース１３は、送受信部１７を介して空間指定カーソル６４に含まれる楽曲データを携帯端末装置３０に送信する。
【００４３】
なお、表示制御部１４において、図７（ｂ）および図７（ｃ）に示す状態に携帯端末装置３０が把持された場合に、空間指定カーソル６４を上下方向、すなわち図９に矢印ｃおよび矢印ｄに示す方向にそれぞれ移動させると共に、図８（ａ）および図８（ｂ）に示す状態に携帯端末装置３０が把持された場合に、空間指定カーソル６４を奥行き方向、すなわち図９に矢印ａおよび矢印ｂに示す方向にそれぞれ移動させるように制御しても良い。
【００４４】
また、表示制御部１４において、決定キー３０２が押下された状態で、図８（ａ）および図８（ｂ）に示す状態に携帯端末装置３０が把持された場合に、空間指定カーソル６４を上下方向、すなわち図９に矢印ｃおよび矢印ｄに示す方向にそれぞれ移動させるように制御しても良い。
【００４５】
さらに、本実施の形態では、回転角θｘおよび回転角θｙからなる姿勢信号に基づく空間指定カーソル６４の移動制御を楽曲管理装置１０の表示制御部１４で行うように構成したが、携帯端末装置３０側で回転角θｘおよび回転角θｙからなる姿勢信号に基づいて空間指定カーソル６４の移動方向を決定し、空間指定カーソル６４の移動方向を携帯端末装置３０から楽曲管理装置１０に送信するように構成しても良い。
【００４６】
２次元表示領域５４は、３次元表示領域５１の奥行きをより明確に表現するために、３次元表示領域５１に表示されている空間を３次元表示領域５１の横軸と奥行きとからなる面に投影して２次元で表現したものであり、表示制御部１４は、表示位置指定領域５２に設けられたスクロールバーによって指定された基準空間座標と、表示スケール指定領域５３に設けられた表示スケール指定ボタンによって指定された表示スケールとに基づいて３次元表示領域５１に表示する空間を特定し、２つの評価項目に基づいて特定した楽曲データを図形として２次元表示領域５４にそれぞれ配置する。なお、３次元表示領域５１および２次元表示領域５４の各軸は、軸切換ボタン５７をクリックすることにより切り換えられるように構成されており、軸切換ボタン５７がクリックされると、表示制御部１４は、３次元表示領域５１および２次元表示領域５４の軸を切り換えて楽曲データを図形として再配置する。
【００４７】
３次元表示領域５１および２次元表示領域５４に表示される空間の移動は、表示位置指定領域５２に設けられたスクロールバーによって指定される基準空間座標を変更させることによって行われる。基準空間座標の変更は、表示位置指定領域５２に設けられたスクロールバーを用いて行う以外に、リスト表示領域５９に表示された楽曲データのリストを選択することによって選択された楽曲データに基準空間座標を変更する方法や、３次元表示領域５１および２次元表示領域５４をクリックすることによってクリックされた箇所に基準空間座標を変更する方法を採用することができる。また、表示位置選択領域５５に設けられた各表示位置選択ボタンには、予めもしくはユーザ指定によって基準空間座標がそれぞれ設定されており、表示位置選択ボタンをクリックすることによっても３次元表示領域５１および２次元表示領域５４に表示される空間を移動させることができる。
【００４８】
さらに、移動モード切換ボタン５６をクリックすることで、３次元表示領域５１の端部にカーソルが位置されると３次元表示領域５１に表示される空間が移動、すなわち基準空間座標が変更される空間内移動モードに切り替わる。空間内移動モードでは、表示制御部１４は、図１０に示すように、３次元表示領域５１の左右端部にそれぞれ横スクロール領域を設定すると共に、３次元表示領域５１の上下端部にそれぞれ縦スクロール領域を設定し、横スクロール領域にカーソルが位置する場合には、カーソルの位置に応じて左右いずれかに３次元表示領域５１に表示する空間を移動させ、縦スクロール領域にカーソルが位置する場合には、カーソルの位置に応じて上下いずれかに３次元表示領域５１に表示する空間を移動させる。なお、図１０には、右端部の横スクロール領域にカーソルが位置し、３次元表示領域５１に表示する空間が右方向に移動されている状態が示されている。また、各スクロール領域は、３次元表示領域５１に表示する空間の移動を低速で行う領域と、当該領域の外側（端部側）に位置し、３次元表示領域５１に表示する空間の移動を高速で行う領域とに分割されている。
【００４９】
以上説明したように、本実施の形態によれば、楽曲データベース１３に記憶している楽曲データを３次元空間に配置する表示制御部１４と、３次元空間に楽曲データが配置された３次元マップを表示するＰＣ表示部１６とを具備する楽曲管理装置１０と、傾斜に応じた姿勢信号を出力する傾斜角検出部３０５を具備する携帯端末装置３０とからなり、携帯端末装置３０の傾斜角検出部３０５から出力される姿勢信号に応じて３次元マップ上の空間を指定する空間指定カーソル６４の移動を制御するように構成することにより、楽曲管理装置１０の楽曲データベース１３に記憶された楽曲データを評価した複数の評価項目を視覚的に同時に把握することができ、楽曲管理装置１０の楽曲データベース１３に記憶された楽曲データの傾向を簡単に把握し、携帯端末装置３０の姿勢に応じて移動される空間指定カーソル６４によって複数の評価項目に基づいた楽曲データの選択を簡単に行うことができるという効果を奏する。
【００５０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００５１】
【図１】本発明に係る操作システムの実施の形態の構成を示すブロック図である。
【図２】図１に示す携帯端末装置の外観構成を示す斜視図である。
【図３】図１に示す携帯端末装置の構成を示すブロック図である。
【図４】図３に示す傾斜角検出部から出力される姿勢情報例を示す図である。
【図５】図１に示すＰＣ表示部に表示される楽曲管理画面例を示す図である。
【図６】図２に示す携帯端末装置を用いた空間指定カーソルの移動動作を説明する説明図である。
【図７】図２に示す携帯端末装置を用いた空間指定カーソルの移動動作を説明する説明図である。
【図８】図２に示す携帯端末装置を用いた空間指定カーソルの移動動作を説明する説明図である。
【図９】図５に示す空間指定カーソルの移動方向を説明する説明図である。
【図１０】図５に示す３次元表示領域における空間内移動モードを説明するための説明図である。
【符号の説明】
【００５２】
１０  楽曲管理装置
１１  楽曲データ入力部
１２  圧縮処理部
１３  楽曲データベース
１４  表示制御部
１５  ＰＣ操作部
１６  ＰＣ表示部
１７  送受信部
１８  音声出力部
１９  スピーカ
２０  データ伝送路
２１  ヘッドフォン
３０  携帯端末装置
３０１端末表示部
３０２  決定キー
３０３  送受信部
３０４  端末楽曲データベース
３０５  傾斜角検出部
３０６  ＡＤ変換部
３０７  座標変換部
３０８  端末制御部
３０９  音声出力部
３１０  表示制御部
５０  楽曲管理画面
５１  ３次元表示領域
５２  表示位置指定領域
５３  表示スケール指定領域
５４  ２次元表示領域
５５  表示位置選択領域
５６  移動モード切換ボタン
５７  軸切換ボタン
５９  リスト表示領域
６０  第１再生指示ボタン
６４  空間指定カーソル
【図１】
0004404830.tif 000002
【図２】
0004404830.tif 000003
【図３】
0004404830.tif 000004
【図４】
0004404830.tif 000005
【図５】
0004404830.tif 000006
【図６】
0004404830.tif 000007
【図７】
0004404830.tif 000008
【図８】
0004404830.tif 000009
【図９】
0004404830.tif 000010
【図１０】
0004404830.tif 000011